(57)【要約】【課題】  不審者が来訪者と一緒に集合住宅の居住空間側へ侵入する共連れを検出し、警報信号を出力することで、オートドアが解錠された後の防犯効果を高める。【解決手段】  この集合住宅インターホンシステムは、集合住宅のオートドア５より玄関側に設置された集合玄関機１と、オートドア５より居住空間側の居室に設置された居室親機３と、オートドア５、集合玄関機１、居室親機３を制御する制御機２とを備えている。居室親機３にオートドア５を解錠する解錠ボタン３８を設け、集合玄関機１にオートドア５からの入室人数を入力するテンキー１３を設ける。人感センサ６はオートドア５を通過した実際の人数を検出し、制御機２は検出人数が入力人数を超えたときに警報信号を発生する。【選択図】        図１
2008219475.tif 000002
【特許請求の範囲】
【請求項１】
集合住宅のオートドアより玄関側に設置された集合玄関機と、前記オートドアより居住空間側の居室に設置された居室親機と、前記オートドア、前記集合玄関機、前記居室親機をそれぞれ制御する制御機とを備えた集合住宅インターホンシステムにおいて、
前記居室親機に前記オートドアを解錠する操作手段を設け、前記集合玄関機に前記オートドアから入室する人数を入力する入力手段を設け、前記オートドアを通過した実際の人数を検出する検出手段を備え、前記検出人数が前記入力人数を超えたときに、前記制御機が警報信号を出力することを特徴とする集合住宅インターホンシステム。
【請求項２】
集合住宅のオートドアより玄関側に設置された集合玄関機と、前記オートドアより居住空間側の居室に設置された居室親機と、前記オートドア、前記集合玄関機、前記居室親機をそれぞれ制御する制御機とを備えた集合住宅インターホンシステムにおいて、
前記居室親機に前記オートドアを解錠する操作手段と、前記オートドアから入室する人数を入力する入力手段とを設け、前記オートドアを通過した実際の人数を検出する手段を備え、前記検出人数が前記入力人数を超えたときに、前記制御機が警報信号を出力することを特徴とする集合住宅インターホンシステム。
【請求項３】
集合住宅のオートドアより玄関側に設置された集合玄関機と、前記オートドアより居住空間側の居室に設置された居室親機と、前記オートドア、前記集合玄関機、前記居室親機をそれぞれ制御する制御機とを備えた集合住宅インターホンシステムにおいて、
前記集合玄関機に前記オートドアを解錠する操作手段と、前記オートドアから入室する人数を入力する入力手段とを設け、前記オートドアを通過した実際の人数を検出する手段を備え、前記検出人数が前記入力人数を超えたときに、前記制御機が警報信号を出力することを特徴とする集合住宅インターホンシステム。
【請求項４】
前記制御機は前記入力手段から人数情報を入力した後に、前記オートドアに解錠信号を出力することを特徴とする請求項１乃至請求項３の何れか１項に記載の集合住宅インターホンシステム。
【請求項５】
前記オートドアより玄関側の空間を撮像する監視カメラを備え、前記検出人数が前記入力人数を超えたときに、前記制御機が前記監視カメラを動作させることを特徴とする請求項１乃至請求項４の何れか１項に記載の集合住宅インターホンシステム。
【請求項６】
前記制御機は前記集合玄関機にて呼び出された住戸に予め関連付けられた複数の住戸の居室親機に前記警報信号を出力することを特徴とする請求項１乃至請求項５の何れか１項に記載の集合住宅インターホンシステム。
【発明の詳細な説明】
【技術分野】
【０００１】
本発明は、集合住宅インターホンシステムに係り、特に、共連れによる集合住宅内への侵入を効果的に防止できる集合住宅インターホンシステムに関する。
【背景技術】
【０００２】
従来、集合住宅のオートドアをインターホンシステムにより制御する技術が知られている。例えば、特許文献１には、居室親機の操作により玄関の発券機が来訪者に入場券を発行し、入場券を所持する来訪者のみがオートドアを解錠できるように構成したインターホンシステムが記載されている。特許文献２には、オートドアを管理室親機のタイマーに予め定められたタイムスケジュールに従って制御し、特定の時間帯に解錠スイッチの操作によらずとも、オートドアを解錠できるように構成したインターホンシステムが記載されている。
【特許文献１】特開２００３−１６９１５０号公報
【特許文献１】特開２０００−８６６７号公報
【発明の開示】
【発明が解決しようとする課題】
【０００３】
従来例の集合住宅インターホンシステムは、来訪者の適正な操作に応答してオートドアを解錠することで、部外者または不審者の集合住宅内への侵入を抑制することができる。しかしながら、従来のインターホンシステムでは、オートドアを解錠した後のセキュリティ対策が講じられていなかった。このため、来訪者の適正な操作によりオートドアが解錠された後に、オートドアが開くタイミングを見はからって、不審者が来訪者と一緒に居住空間側に侵入するという、いわゆる共連れを防止することができなかった。
【０００４】
本発明の目的は、上記課題を解決し、共連れを検出して警報信号を出力することで、オートドアが解錠された後の防犯効果を高めることができる集合住宅インターホンシステムを提供することにある。
【課題を解決するための手段】
【０００５】
上記の課題を解決するために、本発明は、集合住宅のオートドアより玄関側に設置された集合玄関機と、オートドアより居住空間側の居室に設置された居室親機と、オートドア、集合玄関機、居室親機をそれぞれ制御する制御機とを備えた集合住宅インターホンシステムにおいて、以下の手段を備えたことを特徴とする。
【０００６】
（１）居室親機にオートドアを解錠する操作手段を設け、集合玄関機にオートドアから入室する人数を入力する入力手段を設け、オートドアを通過した実際の人数を検出する検出手段を備え、検出人数が入力人数を超えたときに、制御機が警報信号を出力することを特徴とする集合住宅インターホンシステム。
【０００７】
（２）居室親機にオートドアを解錠する操作手段と、オートドアから入室する人数を入力する入力手段とを設け、オートドアを通過した実際の人数を検出する手段を備え、検出人数が入力人数を超えたときに、制御機が警報信号を出力することを特徴とする集合住宅インターホンシステム。
【０００８】
（３）集合玄関機にオートドアを解錠する操作手段と、オートドアから入室する人数を入力する入力手段とを設け、オートドアを通過した実際の人数を検出する手段を備え、検出人数が入力人数を超えたときに、制御機が警報信号を出力することを特徴とする集合住宅インターホンシステム。
【０００９】
（４）制御機は入力手段から人数情報を入力した後に、オートドアに解錠信号を出力することを特徴とする集合住宅インターホンシステム。
【００１０】
（５）オートドアより玄関側の空間を撮像する監視カメラを備え、検出人数が入力人数を超えたときに、制御機が監視カメラを動作させることを特徴とする集合住宅インターホンシステム。
【００１１】
（６）制御機は警報信号を集合玄関機にて呼び出された住戸に予め関連付けられた複数の住戸の居室親機に出力することを特徴とする集合住宅インターホンシステム。
【発明の効果】
【００１２】
本発明の集合住宅インターホンシステムは、次のような優れた効果を奏する。
（ａ）上記（１）のインターホンシステムによれば、居住者が居室親機にて解錠操作をしたのち、来訪者自身が集合玄関機にて入室する人数を入力し、検出手段がオートドアを通過した実際の人数を検出する。検出人数が入力人数を超えたときには、制御機が共連れを判断して警報信号を出力する。従って、オートドアが解錠された後の防犯効果を高めることができる。
【００１３】
（ｂ）上記（２）のインターホンシステムによれば、居住者が居室親機にて解錠操作をしたのち、当該居室親機で来訪者との通話時に聞いた人数若しくは映像により確認した人数を入力し、検出手段がオートドアを通過した実際の人数を検出する。検出人数が入力人数を超えたときには、制御機が共連れを判断して警報信号を出力する。従って、来訪者の手を煩わせることなく、オートドアが解錠された後の防犯効果を高めることができる。
【００１４】
（ｃ）上記（３）のインターホンシステムによれば、居住者が帰宅時などに集合玄関機にて解錠操作をしたのち、当該集合玄関機で入室する人数を入力し、検出手段がオートドアを通過した実際の人数を検出する。検出人数が入力人数を超えたときには、制御機が共連れを判断して警報信号を出力する。従って、居住者の手を煩わせることなく、あるいは単身者の場合であっても、オートドアが解錠された後の防犯効果を高めることができる。
【００１５】
（ｄ）上記（４）のインターホンシステムによれば、制御機が人数情報を入力したのちに、オートドアに解錠信号を出力するので、解錠操作がなされたのちオートドアが開くまでの間に所定の待ち時間が発生する。従って、不審者がオートドアの開くタイミングを見計らって来訪者よりも先にオートドアを通過しようとする共連れを未然に防止することができる。
【００１６】
（ｅ）上記（５）のインターホンシステムによれば、検出人数が入力人数を超えたときに、制御機が警報信号と同時に監視カメラを動作させるので、オートドアが解錠された後の防犯効果をより一層高めることができる。
【００１７】
（ｆ）上記（６）のインターホンシステムによれば、制御機が集合玄関機で呼び出された住戸のみならず、その住戸に関連付けられた複数の住戸にも警報信号を送信するので、集合住宅の広い範囲に注意を促して、防犯効果をさらに高めることができる。
【発明を実施するための最良の形態】
【００１８】
以下、本発明の集合住宅インターホンシステムを具体化した最良の実施形態を図面に基づいて説明する。図１は本発明の実施形態において、集合住宅インターホンシステムの全体的な構成を示すシステム説明図である。図２は図１の集合住宅インターホンシステムにおいて、集合玄関機の構成を示すブロック図である。図３は図１の集合住宅インターホンシステムにおいて、居室親機の構成を示すブロック図である。
【実施例１】
【００１９】
図１に示すように、実施例１の集合住宅インターホンシステムは、来訪者が居住者を呼び出して通話を行うための集合玄関機１と、集合玄関機１からの呼び出しを確認した居住者が応答して来訪者との間で通話を行うための居室親機３と、管理人が居住者と通話するための管理室親機４と、集合玄関機１、居室親機３、管理室親機４をそれぞれ制御する制御機２と、来訪者または居住者が集合住宅の玄関室と居住空間とに出入りするためのオートドア５と、オートドア５を通過した人数を検出するための人感センサ６と、玄関室を撮像する監視カメラ７とから構成されている。
【００２０】
集合玄関機１は集合住宅のオートドア５より玄関側に設置され、居室親機３がオートドア５より集合住宅の居住空間側の複数の居室に設置されている。管理室親機４は集合住宅の管理室に設置され、制御機２が管理室等の集合住宅の適所に設置されている。人感センサ６はオートドア５の近傍において玄関室または居住空間側の天井、壁面、床面等の適所に設置され、監視カメラ７が玄関室の天井、壁面等の適所に設置されている。なお、監視カメラ７は玄関室の一台に限定されず、複数台を玄関室の各所に分散して設置してもよく、玄関室と居住空間側の両方に設置してもよい。
【００２１】
図２に示すように、集合玄関機１は、来訪者を撮像するカメラ１１と、カメラ１１からの映像信号を処理する映像処理部１２と、来訪者が暗証番号、訪問先の居室番号または入室する人数を入力する入力手段としてのテンキー１３と、来訪者が居住者や管理人を呼び出すための呼出ボタン１４と、マイクおよびスピーカ等を備えた通話部１５と、当該集合玄関機１の各部回路を制御する集合玄関機ＣＰＵ１６と、集合玄関機１を制御機２に接続するための集合玄関機ＩＦ（インターフェース）１７とから構成されている。
【００２２】
図３に示すように、居室親機３は、集合玄関機１のカメラ１１または玄関室の監視カメラ７が撮像した映像を表示するモニタ３１と、カメラ１１、監視カメラ７からの映像信号を処理してモニタ３１に出力する映像処理部３２と、居住者がモニタ３１の映像または来訪者との通話に基づいて確認した人数等を入力する入力手段としてのテンキー３３と、居住者が来訪者や管理人と通話をするための通話ボタン３４と、マイクおよびスピーカ等を備えた通話部３５と、当該居室親機３の各部回路を制御する居室親機ＣＰＵ３６と、居室親機３を制御機２に接続するための居室親機ＩＦ３７と、居住者がオートドア５の解錠を操作する操作手段としての解錠ボタン３８とから構成されている。
【００２３】
上記のように構成された集合住宅インターホンシステムにおいて、次に、その動作について説明する。まず、来訪者は居住者を呼び出すために集合玄関機１のテンキー１３を操作して居室番号を入力し、続けて呼出ボタン１４を押下する。すると、呼出信号が居室親機３へ送信され、呼出音が居室親機３の通話部３５のスピーカから出力される。また、集合玄関機１のカメラ１１で撮像された来訪者の映像が同様の経路をたどり居室親機３のモニタ３１に出画される。居住者はモニタ３１の映像を確認し、通話ボタン３４の操作などにより来訪者との通話を行う。
【００２４】
この状態で、居住者が居室親機３の解錠ボタン３８を操作すると、解錠信号が居室親機ＣＰＵ３６から居室親機ＩＦ３７を介して制御機２に送信され、制御機２は集合玄関機１に対して解錠信号を受信したことを知らせる。集合玄関機ＣＰＵ１６は、制御機２の指令に基づいて、例えば、集合玄関機１の通話部（スピーカ）１５に「入室する人数をテンキーで入力してください」といった音声を発生させる。また、モニタを装備した集合玄関機の場合は、入室人数の入力を来訪者に促す内容の文字や図柄等のメッセージをモニタに表示させる。そして、音声またはモニタ表示を確認した来訪者が入室人数を入力すると、その人数情報が集合玄関機ＣＰＵ１６から集合玄関機ＩＦ１７を介して制御機２に送信される。この時点で、制御機２は人感センサ６を能動化させ、人感センサ６からの信号に基づいてオートドア５を通過した実際の人数を検出する。なお、制御機２がオートドア５を解錠するタイミングは、居室親機３から解錠信号を受信した直後でもよく、実施例４で後述するように、来訪者が入室人数を入力した後でもよい。
【００２５】
ここで、例えば、来訪者が２名であり、テンキー１３にて「２」を入力した場合について説明する。オートドア５が開いた後に、２名の来訪者がオートドア５を通過すると、人感センサ６がそれぞれの人物を検出し、制御機２は入室人数が「２」であることを確認する。入力人数どおり２名の来訪者がオートドア５を通過した場合は、特別の動作が行われることなく、オートドア５が開いたのち所定時間が経過すると、オートドア５が閉じて施錠され、待ち受け状態となる。
【００２６】
一方、不審者が２名の来訪者と一緒にオートドア５を通過すると、人感センサ６が３人目の人物を検出し、制御機２は検出人数が入力人数を超えていることを判断し、所定の警報信号を集合玄関機１、管理室親機４、居室親機３にそれぞれ送信する。そして、この警報信号に応答し、それぞれの端末がスピーカから警報音を発生したり、警告ランプを点灯させたりして、不審者の居住空間側への侵入を報知する。
【００２７】
なお、このとき集合玄関機１の通話部１５のスピーカ、または集合玄関機１の近傍に設置したスピーカ（図示略）から「適切な操作を行って入室してください」等のメッセージを発生してもよい。また、制御機２は警報信号を出力すると同時に、監視カメラ７を動作させ、監視カメラ７で撮像した映像を各端末（集合玄関機を除く）のモニタに出画させ、かつ各端末のメモリに録画させてもよい。録画情報については、制御機２自身のメモリのほか、集合住宅インターホンシステムに接続されるサーバ等（図示略）のメモリに記憶させる方法も好適である。
【実施例２】
【００２８】
入室人数の入力手段は、集合玄関機１のテンキー１３に限定されず、居室親機３のテンキー３３を使用することもできる。実施例２の集合住宅インターホンシステムは、居住者が居室親機３の解錠ボタン３８を操作した後に、当該居室親機３のテンキー３３から入力人数を入力するように構成されている。こうすれば、来訪者が集合玄関機１で入力する手間を省くことができて便利である。入力人数を入力したのちの動作は、実施例１と同様である。
【実施例３】
【００２９】
実施例３の集合住宅インターホンシステムでは、入室人数の入力手段と、オートドア５を解錠する操作手段の両方が集合玄関機１に設けられている。具体的には、帰宅した居住者が集合玄関機１で予め記憶した暗証番号を入力するか、マスターキーを操作するか、あるいはＩＤカードを挿入するなどして、オートドア５の解錠操作を行ったのちに、同じ集合玄関機１のテンキー１３を操作して入室人数を入力する。
【実施例４】
【００３０】
実施例４の集合住宅インターホンシステムは、制御機２が集合玄関機１のテンキー１３または居室親機３のテンキー３３で入力された人数情報を受信した後の所定のタイミングで、オートドア５の電気錠に解錠信号を出力するように構成されている。こうすれば、集合玄関機１または居室親機３で解錠操作が行われた時点ではオートドア５が開かず、続く人数情報の入力を待ってオートドア５が開く。このため、不審者がオートドア５の開くタイミングを見計らって来訪者よりも先にオートドアを通過しようとする共連れを未然に防止できる利点がある。
【実施例５】
【００３１】
実施例５の集合住宅インターホンシステムは、制御機２が警報信号を集合玄関機１で呼び出された住戸を含む複数の住戸に送信するように構成されている。警報信号の送信先住戸としては、集合玄関機１で呼び出された住戸に予め関連付けられた住戸、具体的には、管理室、同じ階床の他の住戸、緊急連絡網に登録された複数の住戸、または集合住宅のすべての住戸を例示できる。住戸同士の関連付けは、各住戸に設置された居室親機３のＩＤ、ＩＤカード情報、暗証番号等に基づいて設定することができる。また、この関連付けを制御機２で更新可能に記憶させることも可能である。こうすれば、複数の住戸の居室親機３に警報信号が送信されるので、既設のインターホンシステムを利用し、集合住宅の広範囲をカバーする高レベルのセキュリティシステムを構築することができる。
【００３２】
なお、本発明は上記実施例に限定されるものではなく、例えば、集合玄関機１や居室親機３のテンキー１３，３３、呼出ボタン１４、通話ボタン３４等の操作手段にタッチパネルを使用するなど、発明の趣旨を逸脱しない範囲で、各部の構成を適宜に変更して実施することも可能である。
【図面の簡単な説明】
【００３３】
【図１】本発明一実施形態である集合住宅インターホンシステムの全体的な構成を示すシステム説明図である。
【図２】該システムにおいて集合玄関機の構成を示すブロック図である。
【図３】該システムにおいて居室親機の構成を示すブロック図である。
【符号の説明】
【００３４】
１    集合玄関機
２    制御機
３    居室親機
５    オートドア
６    人感センサ
７    監視カメラ
１３    集合玄関機のテンキー
１６    集合玄関機ＣＰＵ
３３    居室親機のテンキー
３６    居室親機ＣＰＵ
３８    居室親機の解錠ボタン
【図１】
2008219475.tif 000003
【図２】
2008219475.tif 000004
【図３】
2008219475.tif 000005